(57)【特許請求の範囲】
【請求項１】
吸気口と排気口を有する本体ケースと、この吸気口に設けたフィルター装着部と、このフィルター装着部に着脱可能に設けられた集塵フィルター部および脱臭フィルター部と、前記集塵フィルター部と前記脱臭フィルター部とを前記フィルター装着部に固定するフィルター固定部と、前記吸気口から室内の空気を前記本体ケース内に吸気し、前記集塵フィルター部と前記脱臭フィルター部を介して、前記排気口より室内に排気する風路に送風手段とを備え、前記フィルター固定部は、略平板形状で前記フィルター装着部の上部に移動自在に設けられ、前記フィルター固定部がフィルター装着部の外側に位置する場合には、前記フィルター装着部に集塵フィルター部と脱臭フィルター部が装着可能となり、前記集塵フィルター部を前記脱臭フィルター部より外方に装着し、前記フィルター固定部をフィルター装着部の内側に移動させると、前記フィルター固定部によって前記集塵フィルター部の上部を押さえ前記集塵フィルター部と前記脱臭フィルター部とを前記フィルター装着部に固定でき、前記脱臭フィルター部を前記集塵フィルター部より外方に装着し、前記フィルター固定部をフィルター装着部の内側に移動させても、前記脱臭フィルター部の前記本体ケースにおける上下方向の長さが、前記集塵フィルター部の前記本体ケースにおける上下方向の長さより短い構成のため前記フィルター固定部が前記脱臭フィルター部の上端に届かず前記フィルター固定部が前記脱臭フィルター部を固定できない構成としたことを特徴とする空気清浄装置。
【発明の詳細な説明】
【技術分野】
【０００１】
本発明は、空気を浄化することのできる空気清浄装置に関する。
【背景技術】
【０００２】
従来のこの種の空気清浄装置の構成は以下のようになっていた。
【０００３】
すなわち、吸気口と排気口を有する本体ケースと、この吸気口に設けたフィルター装着部と、このフィルター装着部に着脱可能に設けられたフィルター部と、前記フィルター部を前記フィルター装着部に固定するフィルター固定部と、前記吸気口から室内の空気を前記本体ケース内に吸気し、フィルター部を介して、前記排気口より室内に排気する風路に送風手段とを備えた構成となっていた。
【０００４】
例えば、これに類似する先行文献は下記特許文献１に記載されている。
【先行技術文献】
【特許文献】
【０００５】
【特許文献１】特開平１０−３１１５７１号公報
【発明の概要】
【発明が解決しようとする課題】
【０００６】
上記従来例における課題は、複数のフィルターを装着する場合に、装着感が悪く、装着順序が分り難いということであった。
【０００７】
すなわち、従来の物においては、フィルターがフィルター装着部に嵌る構成であるが、製造のばらつきでフィルターの寸法が大きい物と、小さい物があるので、フィルターとフィルター装着部との間の隙間が小さい場合と大きい場合が発生し、装着感にばらつきがあった。
【０００８】
そこで、フィルター固定部を設け、このフィルター固定部によってフィルターをフィルター装着部に固定するものである。しかし、複数のフィルターを装着する場合に、取り扱い説明書等を見ないと装着順序が分り難いものであった。
【０００９】
そこで本発明は、複数のフィルターの装着感を向上すると共に、装着順序を分り易くすることを目的とするものである。
【課題を解決するための手段】
【００１０】
そしてこの目的を達成するために本発明は、吸気口と排気口を有する本体ケースと、この吸気口に設けたフィルター装着部と、このフィルター装着部に着脱可能に設けられた集塵フィルター部および脱臭フィルター部と、前記集塵フィルター部と前記脱臭フィルター部とを前記フィルター装着部に固定するフィルター固定部と、前記吸気口から室内の空気を前記本体ケース内に吸気し、前記集塵フィルター部と前記脱臭フィルター部を介して、前記排気口より室内に排気する風路に送風手段とを備え、前記フィルター固定部は、略平板形状で前記フィルター装着部の上部に移動自在に設けられ、前記フィルター固定部がフィルター装着部の外側に位置する場合には、前記フィルター装着部に集塵フィルター部と脱臭フィルター部が装着可能となり、前記集塵フィルター部を前記脱臭フィルター部より外方に装着し、前記フィルター固定部をフィルター装着部の内側に移動させると、前記フィルター固定部によって前記集塵フィルター部の上部を押さえ前記集塵フィルター部と前記脱臭フィルター部とを前記フィルター装着部に固定でき、前記脱臭フィルター部を前記集塵フィルター部より外方に装着し、前記フィルター固定部をフィルター装着部の内側に移動させても、前記脱臭フィルター部の前記本体ケースにおける上下方向の長さが、前記集塵フィルター部の前記本体ケースにおける上下方向の長さより短い構成のため前記フィルター固定部が前記脱臭フィルター部の上端に届かず前記フィルター固定部が前記脱臭フィルター部を固定できない構成としたことを特徴とした。
【００１１】
これにより、初期の目的を達成するものである。
【発明の効果】
【００１２】
以上のように本発明は、吸気口と排気口を有する本体ケースと、この吸気口に設けたフィルター装着部と、このフィルター装着部に着脱可能に設けられた集塵フィルター部および脱臭フィルター部と、前記集塵フィルター部と前記脱臭フィルター部とを前記フィルター装着部に固定するフィルター固定部と、前記吸気口から室内の空気を前記本体ケース内に吸気し、前記集塵フィルター部と前記脱臭フィルター部を介して、前記排気口より室内に排気する風路に送風手段とを備え、前記フィルター固定部は、略平板形状で前記フィルター装着部の上部に移動自在に設けられ、前記フィルター固定部がフィルター装着部の外側に位置する場合には、前記フィルター装着部に集塵フィルター部と脱臭フィルター部が装着可能となり、前記集塵フィルター部を前記脱臭フィルター部より外方に装着し、前記フィルター固定部をフィルター装着部の内側に移動させると、前記フィルター固定部によって前記集塵フィルター部の上部を押さえ前記集塵フィルター部と前記脱臭フィルター部とを前記フィルター装着部に固定でき、前記脱臭フィルター部を前記集塵フィルター部より外方に装着し、前記フィルター固定部をフィルター装着部の内側に移動させても、前記脱臭フィルター部の前記本体ケースにおける上下方向の長さが、前記集塵フィルター部の前記本体ケースにおける上下方向の長さより短い構成のため前記フィルター固定部が前記脱臭フィルター部の上端に届かず前記フィルター固定部が前記脱臭フィルター部を固定できない構成としたことを特徴としたものである。
【００１３】
すなわち、集塵フィルター部を脱臭フィルター部より外方に装着し、フィルター固定部によって固定すると、フィルター固定部がフィルター装着部の送風方向における風上側に位置し、集塵フィルター部と脱臭フィルター部をフィルター装着部に固定できる。
【００１４】
これにより、集塵フィルター部と脱臭フィルター部が、製造のばらつきで寸法が大きい物と、小さい物が出来ても、フィルター装着部に固定できると共に、集塵フィルター部を脱臭フィルター部より外方に装着すると、フィルター固定部によって集塵フィルター部と脱臭フィルター部をフィルター装着部に固定できるので、集塵フィルター部と脱臭フィルター部の装着順序が分り易いものとなる。
【００１５】
これらの結果により、複数のフィルターの装着感を向上すると共に、装着順序を分り易くすることができるものである。
【図面の簡単な説明】
【００１６】
【図１】本発明の実施の形態１の空気清浄装置の正面図
【図２】同空気清浄装置の概略図
【図３】同空気清浄装置の概略断面図
【図４】同空気清浄装置のフィルター固定部の概略断面図
【図５】同空気清浄装置のフィルター固定部の概略図
【図６】同空気清浄装置のフィルター固定部の概略断面図
【図７】同空気清浄装置のフィルター固定部の概略図
【図８】参考例の空気清浄装置の概略断面図
【図９】同空気清浄装置のフィルター固定部の概略断面図
【図１０】同空気清浄装置のフィルター固定部の概略断面図
【発明を実施するための形態】
【００１７】
以下、本実施形態を添付図面を用いて説明する。
【００１８】
（実施の形態１）
図１から図３に示すように、本実施形態の空気清浄装置１の箱形状の本体ケース４の前面には、四角形状の吸気口２を設け、天面には四角形状の排気口３を有する。この吸気口２には、四角筒形状のフィルター装着部５を備えている。このフィルター装着部５には、集塵フィルター部６と脱臭フィルター部７とが着脱可能に設けられている。フィルター装着部５の一端側の開口に、対向するように、フィルター装着部５と所定の距離をおいて着脱自在に前パネル１６を設けている。本体ケース４内の風路には、送風手段９を備え、この送風手段９によって、前パネル１６と本体ケース４の間から室内の空気を本体ケース４内に吸気し、吸気口２、集塵フィルター部６と脱臭フィルター部７を介して、排気口３より室内に排気するものである。フィルター装着部５の上部には、集塵フィルター部６と脱臭フィルター部７とを固定するフィルター固定部８を備えている。
【００１９】
本実施形態における特徴は、集塵フィルター部６を脱臭フィルター部７より外方に装着し、フィルター固定部８によって固定すると、フィルター固定部８がフィルター装着部５の送風方向における風上側に位置し、集塵フィルター部６と脱臭フィルター部７をフィルター装着部５に固定できる点である。
【００２０】
具体的には、フィルター装着部５は、四角筒形状で、一端側の開口が本体ケース４における前面側に対向し、フィルター装着部５の他端側の開口面積は、一端側の開口面積より小さいものである。一例としては、他端側の開口に、格子部１０を備えたものである。
【００２１】
フィルター固定部８は、略平板形状でフィルター装着部５の上部に移動自在に設けられている。図４から図７に示すように、このフィルター固定部８は、横長平板の平板固定部１１と、平板固定部１１の面に対して垂直方向に伸びた横長平板のつまみ部１２とから形成している。平板固定部１１の一端側には、回転支持部１３を有し、この回転支持部１３によって、フィルター固定部８は、長手方向が水平の位置から長手方向が垂直の位置まで回転自在にフィルター装着部５の上部に設けられている。ここで、フィルター固定部８の長手方向が水平の位置にある場合は、フィルター固定部８がフィルター装着部５の外側に位置し、フィルター固定部８の長手方向が垂直の位置にある場合は、フィルター固定部８の一部がフィルター装着部５の内側に位置するものである。すなわち、フィルター固定部８がフィルター装着部５の外側に位置する場合には、フィルター装着部５に集塵フィルター部６と脱臭フィルター部７が装着可能となる。そして、集塵フィルター部６を脱臭フィルター部７より外方に装着し、フィルター固定部８をフィルター装着部５の内側に移動させると、フィルター固定部８によって集塵フィルター部６の上部を送風方向における風上側から押さえ、集塵フィルター部６と脱臭フィルター部７とをフィルター装着部に固定できる。
【００２２】
一方、脱臭フィルター部７を集塵フィルター部６より外方に装着し、フィルター固定部８がフィルター装着部５の内側に移動させても、フィルター固定部８が脱臭フィルター部７を固定できないものである。これは、脱臭フィルター部７の本体ケース４における上下方向の長さが、集塵フィルター部６の本体ケース４における上下方向の長さより短い構成としたものである。これにより、フィルター固定部８をフィルター装着部５の内側に移動させても、脱臭フィルター部７の本体ケース４における上下方向の長さが、集塵フィルター部６の本体ケース４における上下方向の長さより短いので、平板固定部１１が脱臭フィルター部７に届かず、フィルター固定部８が脱臭フィルター部７を固定できないものである。
【００２３】
これにより、集塵フィルター部６と脱臭フィルター部が、製造のばらつきで寸法が大きい物と、小さい物が出来ても、フィルター装着部５に固定できると共に、集塵フィルター部６を脱臭フィルター部７より外方に装着すると、フィルター固定部８によって集塵フィルター部６と脱臭フィルター部７をフィルター装着部５に固定できる。更に、集塵フィルター部６と脱臭フィルター部７の装着順序を誤ると、集塵フィルター部６と脱臭フィルター部７を装着できないので、集塵フィルター部６と脱臭フィルター部７の装着順序が分り易いものとなる。
【００２４】
これらの結果により、複数のフィルターの装着感を向上すると共に、装着順序を分り易くすることができるものである。
【００２５】
（参考例）
以下、本発明の実施の形態２における空気清浄装置について図面を参照しながら説明する。なお、実施の形態１の構成と同様の構成を有するものについては、同一符号を付してその説明を省略する。図８に示すように、実施の形態１と相違する点は、フィルター装着部５は、脱臭フィルター装着部１４と集塵フィルター装着部１５とから形成し、脱臭フィルター装着部１４は集塵フィルター装着部１５より内方に位置するものである。脱臭フィルター装着部１４の本体ケース４における上下方向の長さが、集塵フィルター装着部１５の本体ケース４における上下方向の長さより短い構成であり、集塵フィルター装着部１５には、集塵フィルター部６が嵌まり、脱臭フィルター装着部１４には、脱臭フィルター部７は嵌り、集塵フィルター部６が嵌らない点である。
【００２６】
これにより、脱臭フィルター部７を集塵フィルター部６より外方に装着し、フィルター固定部８がフィルター装着部５の内側に移動させても、集塵フィルター部６が脱臭フィルター装着部１４に嵌らないので、脱臭フィルター部７がフィルター装着部５からはみ出し、フィルター固定部８が脱臭フィルター部７を固定できないものである。
【００２７】
また、図９、および図１０に示すように、フィルター装着部５の一端側の開口に対向するように着脱自在に前パネル１６を設け、この前パネル１６は、フィルター固定部８がフィルター装着部５の内側に位置する場合には、吸気口２に装着可能な構成としたものである。具体的には、前パネル１６は、縦長平板で、吸気口２に着脱自在に、フィルター装着部５の一端側の開口に対向し、フィルター装着部５を覆うように設けられている。この前パネル１６上部には、本体ケース４の内方へ突出した突出部１７を備えている。この突出部１７は平板で、本体ケース４における右側面側から見ると、三角形状である。ここで、フィルター固定部８がフィルター装着部５の一部が内側に位置し、フィルター固定部８の長手方向が垂直の位置にある場合には、前パネル１６の突出部１７がフィルター固定部８の平板固定部１１から伸びた横長平板のつまみ部１２に当たるので、前パネル１６を吸気口２に装着することができない。一方、フィルター固定部８がフィルター装着部５の外側に位置し、フィルター固定部８の長手方向が水平の位置にある場合は、前パネル１６の突出部１７がフィルター固定部８に当たることがないので、前パネル１６を吸気口２に装着することができるものである。
【産業上の利用可能性】
【００２８】
以上のように本発明は、吸気口と排気口を有する本体ケースと、この吸気口に設けたフィルター装着部と、このフィルター装着部に着脱可能に設けられた集塵フィルター部および脱臭フィルター部と、前記集塵フィルター部と前記脱臭フィルター部とを前記フィルター装着部に固定するフィルター固定部と、前記吸気口から室内の空気を前記本体ケース内に吸気し、前記集塵フィルター部と前記脱臭フィルター部を介して、前記排気口より室内に排気する風路に送風手段とを備え、前記集塵フィルター部を前記脱臭フィルター部より外方に装着し、前記フィルター固定部によって固定すると、前記フィルター固定部が前記フィルター装着部の送風方向における風上側に位置し、前記集塵フィルター部と前記脱臭フィルター部を前記フィルター装着部に固定できることを特徴としたものである。
【００２９】
すなわち、集塵フィルター部を脱臭フィルター部より外方に装着し、フィルター固定部によって固定すると、フィルター固定部がフィルター装着部の送風方向における風上側に位置し、集塵フィルター部と脱臭フィルター部をフィルター装着部に固定できる。
【００３０】
これにより、集塵フィルター部を脱臭フィルター部が、製造のばらつきで寸法が大きい物と、小さい物が出来ても、フィルター装着部に固定できると共に、集塵フィルター部を脱臭フィルター部より外方に装着すると、フィルター固定部によって集塵フィルター部と脱臭フィルター部をフィルター装着部に固定できるので、集塵フィルター部と脱臭フィルター部の装着順序が分り易いものとなる。
【００３１】
これらの結果により、複数のフィルターの装着感を向上すると共に、装着順序を分り易くすることができるものである。
【００３２】
従って、家庭用や事務所用などの、空気清浄装置として活用が期待されるものである。
【符号の説明】
【００３３】
１    空気清浄装置
２    吸気口
３    排気口
４    本体ケース
５    フィルター装着部
６    集塵フィルター部
７    脱臭フィルター部
８    フィルター固定部
９    送風手段
１０  格子部
１１  平板固定部
１２  つまみ部
１３  回転支持部
１４  脱臭フィルター装着部
１５  集塵フィルター装着部
１６  前パネル
１７  突出部
【図１】
0005899431.tif 000002
【図２】
0005899431.tif 000003
【図３】
0005899431.tif 000004
【図４】
0005899431.tif 000005
【図５】
0005899431.tif 000006
【図６】
0005899431.tif 000007
【図７】
0005899431.tif 000008
【図８】
0005899431.tif 000009
【図９】
0005899431.tif 000010
【図１０】
0005899431.tif 000011